(57)【要約】      （修正有）【課題】靴の構成を変更せずに、靴自体のデザイン性を損なわない靴紐アクセサリーを提供する。【解決手段】靴紐アクセサリー１は、円弧状に湾曲した長尺の基材２の両端に形成された開口部３と、この開口部３の間の表面側に形成された飾部４とを具備している。【選択図】図１
0003151198.tif 000002
【実用新案登録請求の範囲】
【請求項１】
靴の甲部の紐に対して設ける靴紐アクセサリーであって、円弧状に湾曲した長尺の基材の両端に形成された開口部と、この開口部の間の表面側に形成された飾部とを具備したことを特徴とする靴紐アクセサリー。
【請求項２】
開口部の幅方向両端に凹部が形成され、ここにＩ字状のバーを挿入可能な構成としたことを特徴とする請求項１記載の靴紐アクセサリー。
【請求項３】
基材円弧の角度を１２０°〜１５０°としたことを特徴とする請求項１又は２記載の靴紐アクセサリー。
【考案の詳細な説明】
【技術分野】
【０００１】
本考案は、靴紐を替えるなどの構成を変更することなく付加的に設けることで、靴自体のデザイン性を損なうことなくさらに個性的な装飾が可能な靴紐アクセサリーに関するものである。
【背景技術】
【０００２】
例えば靴の種類には、甲部の、左右の各側甲片に形成された孔に紐を通し、該それぞれの側甲片を中央に寄せて足の甲幅に調整するものがある。近年では、意匠性や機能性に優れた靴が豊富に存在する。
【０００３】
ところが、製造メーカーが製造した靴に、例えば上着にブローチを付けたり、例えばベルトのバックルを意匠性に優れたものに変えたりといったように、アクセサリーや装飾品を付けたり、そのようなアクセサリーや装飾品を替えるという発想や構成は存在しなかった。
【０００４】
例えば、下記の特許文献１では、ベルトや靴紐を含むこれらに用いられる紐類を締結する紐締バックルについて示されており、また、特許文献２では、装飾が施された靴紐について示されている。
【先行技術文献】
【特許文献】
【０００５】
【特許文献１】特開２００３−９９１０号公報
【特許文献２】特開平１０−３０９２０２号公報
【０００６】
特許文献１は、開口を有した本体において、該開口を形成する対向する内縁に架け渡された、物体に平行な外側面と、物体側に臨む頂部とが形成された断面が三角形のバーを有し、紐を、バーの頂部を挟んだ一方の斜面側の下方から開口の上方に向けて貫通させ、外側面を巻回して開口の下方に向けてバーの頂部を挟んだ他方の斜面側に通す構成とされている。
【０００７】
特許文献２は、一対の靴紐の一端部に飾りを設け、該靴紐の他端部を靴の孔に挿入し、該一端部の飾りは最終的に最初に他端部を挿入した孔に係止して抜け止めとして機能すると共に、飾りとして機能する構成とされている。
【０００８】
しかし、特許文献１は、紐の確実な締結とバックル自身の位置設定を容易に行い得ることを目的としているので、ファッション性やデザイン性が考慮されておらず、該特許文献１の締結バックルを靴に用いることで反対に靴のそもそも有するデザイン性を損なうといった可能性もあった。
【０００９】
また、特許文献２は、一対の靴紐、つまり２本の靴紐を使用するということになり、もともと有する（一本の）靴紐に対してバリエーション豊かに飾りを別途設ける構成ではなかった。
【００１０】
また、本出願人は、靴の紐に設けてファッション性、デザイン性を向上させるような構成のアクセサリーに関して調査をするも、特許文献１，２の他には本考案の目的を達し得る構成を発見できなかった。
【考案の概要】
【考案が解決しようとする課題】
【００１１】
本考案が解決しようとする問題点は、特許文献１ではファッション性やデザイン性が考慮されておらず、靴に用いることで反対に靴のそもそも有するデザイン性を損なうといった可能性がある点、特許文献２は２本の別途の靴紐を使用することとなり元々の靴の構成に対して設けるようにはなっていない点である。
【課題を解決するための手段】
【００１２】
本考案は、靴の甲部の紐に対して設ける靴紐アクセサリーであって、円弧状に湾曲した長尺の基材の両端に形成された開口部と、この開口部の間の表面側に形成された飾部とを具備したことを最も主要な特徴とする。
【考案の効果】
【００１３】
本考案は、飾部が靴の甲部において表面側となるように開口部に靴紐を通して使用する構成であるので、その時々で別の飾部の本考案の靴紐アクセサリーを用いることで同じ靴でも別の靴のように見せることができると共に、靴紐自体は靴に元々備えているものを使用できるという利点がある。
【図面の簡単な説明】
【００１４】
【図１】図１は本考案の靴紐アクセサリーを示し、（ａ）は靴紐を通した状態の斜視図、（ｂ）は表面から見た図、（ｃ）は裏面から見た図である。（実施例１）
【図２】図２は本考案の靴紐アクセサリーの使用状況を示す図である。（実施例１）
【図３】図３は本考案の本考案の靴紐アクセサリーを示し、（ａ）は靴紐を通した状態の斜視図、（ｂ）は全体を表面から見た図、（ｃ）は全体を裏面から見た図、（ｄ）は分離した状態の表面から見た図、（ｅ）は分離した状態の裏面から見た図である。（実施例２）
【図４】図４は本考案の靴紐アクセサリーの使用状況を示す図である。（実施例２）
【考案を実施するための形態】
【００１５】
円弧状に湾曲した長尺の基材の両端に形成された開口部と、この開口部の間の表面側に形成された飾部とを具備することによって、靴紐を替えるなどの構成を変更したり、靴自体のデザイン性を損う可能性のある点を解消し、構成を変更することなく付加的に設けることで、個性的な装飾を実現した。
【実施例１】
【００１６】
図１及び図２に示す実施例１は、靴Ｓの甲部Ｓａの紐Ｐに対して設ける靴紐アクセサリー１である。実施例１の靴紐アクセサリー１は、次の構成とされている。なお、本実施例１において本考案の基本構成を示し、後の実施例２においては説明の重複を避け、実施例１と異なる構成についてのみ説明することとする。
【００１７】
２は、本実施例１では例えばプラスチック製で、円弧状に湾曲した長尺の基材である。基材２を円弧状に湾曲させている理由は、平板であると両端部がもともとアーチ状の靴の甲部Ｓａにおける両側方部において浮き上がってしまうからである。また、基材２が平板であると、後述する飾部４を立体的に目立たせることができなくなる。したがって基材２は円弧状に湾曲させている。
【００１８】
基材２の円弧の角度は、ファッション性やデザイン性を得るために、１２０°〜１５０°が望ましい。１２０°より小さいと上記とは逆に基材２の中央部が浮き上がってしまう。一方、１５０°より大きいとほぼ平板状となり、上記のように両端部が浮き上がってしまう。
【００１９】
また、基材２の長尺とは、例えば靴Ｓにおける紐Ｐを緊結する緊結部Ｓｂの距離、つまり紐Ｐを挿通するための孔ｈ間程度を意味する。この孔ｈ間とは、図２で靴紐アクセサリー１が装着されている靴Ｓの両側部方向のみならず、縦方向すなわちつま先から踵への方向の孔ｈ間も意味する。縦方向に靴紐アクセサリー１を装着することで違ったデザイン性も得られる。
【００２０】
３は、基材２の両端に形成された開口部である。実施例１における開口部３は、基材２の長尺方向の両縁部２ａを残した途中部位に形成されている。この両縁部２ａには、開口部３をへ向かう、又は開口部３を経た、紐Ｐが載ることとなる。
【００２１】
４は、基材２における開口部３の間の表面側に形成された飾部である。この飾部４は、本実施例１では、例えば基材２と一体的に表面に形成されているが他の例も採用し得る。例えば、飾部４を厚み方向に基材２と装着・分離が自在とされたプレート状として、紐Ｐを靴Ｓから外すことなく飾部４のみを替えるようにしてもよい。
【００２２】
また、例えば基材２の飾部４の形成部位において、例えば宝石Ｊや貴金属のみを装着・分離が自在な台座として機能するようにしてもよい。この場合においても、紐Ｐを靴Ｓから外すことなく飾部４のみを替えることが可能となる。
【００２３】
上記構成の実施例１における靴紐アクセサリー１は、例えば靴Ｓに最初に紐Ｐを通すつま先側の両側部の孔ｈ，ｈに取り付ける。紐Ｐを一方の甲片の孔ｈに通した後、表面側から紐Ｐを靴紐アクセサリー１の一方の開口部３へ挿入して裏面側へと送る。
【００２４】
続いて、基材２の飾部４を設けた表面とは反対の面、すなわち裏面に紐Ｐを送って、他方の甲片の孔ｈへ紐Ｐを送る際、開口部３から表面側へ紐Ｐを引き出す。このとき、基材２の縁部２ａ，２ａには紐Ｐが載ることとなる。この後、孔ｈへ紐Ｐを挿入し、以降、通常通り紐Ｐを緊結することで、図２に示すように、甲部Ｓａに靴紐アクセサリー１を取り付けることができる。
【実施例２】
【００２５】
図３及び図４に示す実施例２は、実施例１と次の構成が異なる。開口部３には基材２の幅方向両端に凹部３ａが形成され、ここにＩ字状のバー５を挿入可能な構成とした点が上記実施例１とは異なる。
【００２６】
バー５は、図３（ｄ）（ｅ）などに示すように、基材２の表裏方向にＩ字状とされ、Ｉ字状の両水平部５ａ，５ａと、該水平部５ａの幅方向（長尺方向）の中央部に垂直部５ｂが形成されている。
【００２７】
そして、両水平部５ａ，５ａは、開口部３における凹部３ａに嵌り、図３及び図４に示すように幅及び厚み方向に面一となる。一方、垂直部５ｂは、開口部３を長尺方向に２分割し、実施例１では両縁部２ａに載っていた紐Ｐが、実施例２では垂直部５ｂに載る。
【００２８】
本実施例２における靴紐アクセサリー１は、例えば靴Ｓに最初に紐Ｐを通すつま先側の両側部の孔ｈ，ｈに取り付ける。紐Ｐを一方の甲片の孔ｈに通した後、裏面側から紐Ｐを靴紐アクセサリー１の一方の開口部３へ挿入し、バー５の垂直部５ｂの上部を経て、開口部３に向けて裏面側へ紐Ｐを挿入する。
【００２９】
続いて、基材２の飾部４を設けた表面とは反対の面、すなわち裏面に紐Ｐを送って、他方の甲片の孔ｈへ紐Ｐを送る際、開口部３から紐Ｐを表面側へ引き出し、バー５の垂直部５ｂの上部を経て、開口部３に向けて裏面側へ紐Ｐを挿入した後、孔ｈへ紐Ｐを挿入する。この後、孔ｈへ紐Ｐを挿入し、以降、通常通り紐Ｐを緊結することで、図４に示すように、甲部Ｓａに靴紐アクセサリー１を取り付けることができる。
【００３０】
すなわち、実施例１では縁部２ａに紐Ｐが載るから基材２の表面側において開口部３を通る紐Ｐの露出が多いが、実施例２ではバー５の垂直部５ａに載り、ここで折り返されて再度開口部３へ（裏面側へ）紐Ｐが送られるから露出が少ない。
【００３１】
実施例２は、垂直部５ｂで紐Ｐが折り返され、僅かに該垂直部５ｂに載った部分のみが表面側に露出する。したがって、飾部４のみを際立たせることができる。
【００３２】
また、Ｉ字状のバー５が基材２と分離可能である場合には、紐Ｐを通した後にバー５を紐Ｐに絡ませたうえで、凹部３ａに装着し、その後、紐Ｐを引っ張って基材２を固定するので、開口部３が小さくても容易に装着できる。
【００３３】
実施例２の開口部３における凹部３ａは、必要に応じて、片方の開口部３にのみ設けても良いし、バー５も装着に際して、片方の開口部３のみに装着することも可能である。
【符号の説明】
【００３４】
１  靴紐アクセサリー
２  基材
２ａ  縁部
３  開口部
３ａ  凹部
４  飾部
５  バー
５ａ  水平部
５ｂ  垂直部
Ｓ  靴
Ｓａ  甲部
Ｐ  紐
ｈ  孔  
【図１】
0003151198.tif 000003
【図２】
0003151198.tif 000004
【図３】
0003151198.tif 000005
【図４】
0003151198.tif 000006